(57)【特許請求の範囲】
【請求項１】
ＡＳＴＭ規格におけるＡＺ９１合金のマグネシウム合金からなるマグネシウム合金材であって、
前記マグネシウム合金中に、Ａｌ及びＭｇの少なくとも一方を含む金属間化合物の粒子が分散して存在しており、
前記金属間化合物の粒子の平均粒径が０．０５μｍ以上１μｍ以下であり、
前記マグネシウム合金材の断面において、前記金属間化合物の粒子の合計面積の割合が１％以上２０％以下であり、かつ、
シャルピー衝撃値が３０Ｊ／ｃｍ２以上であるマグネシウム合金材。
【請求項２】
引張速度が１０ｍ／ｓｅｃでの高速引張試験における伸びが１０％以上である請求項１に記載のマグネシウム合金材。
【請求項３】
引張速度が１０ｍ／ｓｅｃでの高速引張試験における引張強さが３００ＭＰａ以上である請求項１又は請求項２に記載のマグネシウム合金材。
【請求項４】
引張速度が１０ｍ／ｓｅｃでの高速引張試験における伸びＥＬｈｇが、引張速度が２ｍｍ／ｓｅｃでの低速引張試験における伸びＥＬｌｏｗの１．３倍以上である請求項１〜請求項３のいずれか１項に記載のマグネシウム合金材。
【発明の詳細な説明】
【技術分野】
【０００１】
本発明は、自動車部品、携帯用電気機器の筐体などの各種の部品の構成材料に適したマグネシウム合金材に関するものである。特に、耐衝撃性に優れるマグネシウム合金材に関するものである。
【背景技術】
【０００２】
携帯電話やノート型パーソナルコンピュータといった携帯用電気機器類の筐体、ホィールカバーやパドルシフトなどの自動車部品といった各種の部品の構成材料として、軽量で、比強度、比剛性に優れるマグネシウム合金が検討されている。マグネシウム合金からなる部品は、ダイカスト法やチクソモールド法による鋳造材(ASTM規格のAZ91合金)が主流である。上記筐体などの部品に対して、近年、ASTM規格のAZ31合金に代表される展伸用マグネシウム合金からなる板にプレス加工を施したものが使用されつつある。特許文献1,2では、AZ91合金やAZ91合金と同程度のAlを含有する合金からなる圧延板を特定の条件で作製し、この板にプレス加工を施すことを開示している。
【０００３】
マグネシウムは、振動エネルギーの吸収特性に優れるとされている。例えば、自動車部品などの衝撃強さを求められる部品の構成材料には、Alの含有量を低減させたり、Znを含まない合金種、具体的には、ASTM規格のAM60合金が利用される。
【先行技術文献】
【特許文献】
【０００４】
【特許文献１】国際公開2008/029497号
【特許文献２】国際公開2009/001516号
【発明の概要】
【発明が解決しようとする課題】
【０００５】
耐衝撃性により優れるマグネシウム合金材の開発が望まれている。
【０００６】
上記AM60合金は、耐衝撃性に優れるものの、更なる向上が望まれる。一方、上述したAZ91合金のダイカスト材といった鋳造材では、巣といった内部欠陥が存在し易い上に、Al成分が局所的に高濃度になったり、結晶粒がランダムに配向したりするなど、組成や組織が不均一になり易い。また、AZ91合金からなるダイカスト材といった鋳造材では、Alの含有量が多いことから、Alが固溶しきれずに金属間化合物として結晶粒界に析出する傾向にある。上記欠陥部分や結晶粒界の析出物などが破壊の起点となったり、上記組成や組織の不均一が機械的弱点となることで、AZ91合金からなるダイカスト材といった鋳造材は、耐衝撃性に劣ると考えられる。
【０００７】
そこで、本発明の目的は、耐衝撃性に優れるマグネシウム合金材を提供することにある。
【課題を解決するための手段】
【０００８】
本発明者らは、マグネシウム合金自体の強度の向上を図るために、マグネシウム合金として、Alを7.5質量％超含有するものを対象とし、このマグネシウム合金を用いて種々の製造方法により板を作製した。そして、得られた板の耐衝撃性を調べた。その結果、特定の製造条件で作製したマグネシウム合金板は、耐衝撃性に非常に優れる、との知見を得た。
【０００９】
具体的には、耐衝撃性に優れるマグネシウム合金板を調べたところ、マグネシウム合金中に、例えば、Mg17Al12、Al6(MnFe)といったMg及びAlの少なくとも一方を含む金属間化合物といった析出物がある程度存在しており、かつこの析出物の粒子が比較的小さく、均一的に分散しており、5μm以上といった粗大な粒子が実質的に存在していなかった。そこで、上記析出物の粒径及びその存在量を制御する、即ち、上述のような粗大な析出物が生成されないようにすると共に、ある程度の量の微細な析出物を生成する製法を検討した。その結果、鋳造以降、特に溶体化処理以降、最終製品となるまでの製造工程において、マグネシウム合金からなる素材を特定の温度域に保持する総合計時間が特定の範囲となるように製造条件を制御することが好ましい、との知見を得た。
【００１０】
本発明は、上記知見に基づくものである。本発明は、Alを7.5質量％超含有するマグネシウム合金からなるマグネシウム合金材に係るものであり、シャルピー衝撃値が30J/cm2以上であることを特徴とする。
【００１１】
本発明マグネシウム合金材は、衝撃吸収エネルギーが非常に大きく、後述する試験例に示すようにAM60合金と同等以上にシャルピー衝撃値が高く、耐衝撃性に優れる。そのため、本発明マグネシウム合金材は、自動車部品といった、衝撃時のエネルギーを十分に吸収することが望まれる部品の構成材料に利用された場合、高速で応力が与えられても、容易に割れなどが生じることが無く、衝撃を十分に吸収できると期待される。従って、本発明マグネシウム合金材は、衝撃吸収部材の構成材料に好適に利用できると期待される。シャルピー衝撃値は大きいほど、衝撃吸収エネルギーが大きいことから、40J/cm2以上がより好ましく、上限は設けない。
【００１２】
また、本発明マグネシウム合金材は、AM60合金よりもAlを多く含有することで、AM60合金に比較して耐食性にも優れる。特に、本発明マグネシウム合金材は、後述するように特定の組織を有することからも、耐食性に優れる。
【００１３】
本発明の一形態として、引張速度が10m/secでの高速引張試験における伸びが10％以上である形態が挙げられる。
【００１４】
本発明者らが調べたところ、本発明マグネシウム合金材は、一般的な引張試験(引張速度:数mm/sec程度)における伸びがAM60合金と比較して若干劣るものの、引張速度が10m/secといった非常に速い速度での引張試験における伸びがAM60合金よりも高い、という驚くべき結果が得られた。本発明マグネシウム合金材は、このように高速引張試験における伸びが高いことで、衝撃を受けた場合(高速で物体が接触した場合)にも十分に変形して衝撃を吸収できると期待される。上記伸びが大きいほど、耐衝撃性に優れると考えられ、12％以上、更に14％以上が好ましく、上限は設けない。
【００１５】
本発明の一形態として、引張速度が10m/secでの高速引張試験における引張強さが300MPa以上である形態が挙げられる。
【００１６】
本発明マグネシウム合金材は、上述のように高速引張試験における伸びが高く、高靭性である上に、高速引張試験における引張強さも高く、高強度である。このように高速で応力を受けた場合でも高強度・高靭性であることから、上記形態によれば、衝撃を受けた際に破断し難く、十分に変形可能であり、衝撃吸収能が高く、耐衝撃性に優れる。上記引張強さは大きいほど好ましく、320MPa以上、更に330MPa超がより好ましく、上限は設けない。
【００１７】
本発明の一形態として、引張速度が10m/secでの高速引張試験における伸びELhgが、引張速度が2mm/secでの低速引張試験における伸びELlowの1.3倍以上である形態が挙げられる。
【００１８】
上記形態によれば、上記高速引張試験における伸びが高く、上記低速引張試験における伸びとの差が大きい。ここで、AM60合金は、後述する試験例に示すように、高速引張試験における伸びが高いものの、その伸びは、低速引張試験における伸びとほとんど差が無い。これに対して、上記形態によれば、上述のように高速引張試験における伸びの絶対値が高い上に、低速引張試験における伸びとの差が大きいことから、衝撃を受けた際に十分に変形可能な能力を有すると言える。従って、上記形態によれば、耐衝撃性に優れる。組成や組織によっては、ELhg≧1.5×ELlowを満たす形態とすることができる。
【００１９】
本発明の一形態として、上記マグネシウム合金中に析出物の粒子が分散して存在しており、これら析出物の粒子の平均粒径が0.05μm以上1μm以下であり、上記マグネシウム合金材の断面において、上記析出物の粒子の合計面積の割合が1％以上20％以下である形態が挙げられる。
【００２０】
上記形態によれば、粗大な析出物が実質的に存在せず、非常に微細な析出物が分散した組織を有する。微細な析出物が分散して存在することで、析出物の分散強化による板自体の剛性の向上により、本発明マグネシウム合金材は、衝撃を受けても凹み難く、耐衝撃特性に優れる。また、このような組織により、粗大な析出物の存在や過剰に析出物を析出したことによるマグネシウム合金中のAlの固溶量の低下が少なく、Alの固溶量の低下に伴うマグネシウム合金自体の強度の低下を抑えられて強度を維持できたことからも、本発明マグネシウム合金材は耐衝撃性に優れる、と考えられる。従って、上記特定の組織を有する本発明マグネシウム合金材は、耐衝撃性に優れる。更に、上記形態によれば、粗大な析出物が少ないことで、塑性加工性にも優れ、プレス加工を容易に施すことができる。
【００２１】
本発明の一形態として、上記析出物の粒子は、Al及びMgの少なくとも一方を含む金属間化合物から構成される粒子を含む形態が挙げられる。
【００２２】
上記金属間化合物は、マグネシウム合金よりも耐食性に優れる傾向にある。従って、上記形態によれば、析出物の分散強化による耐衝撃性の向上に加えて、耐食性に優れる金属間化合物の存在により耐食性にも優れる。
【発明の効果】
【００２３】
本発明マグネシウム合金材は、耐衝撃性に優れる。
【図面の簡単な説明】
【００２４】
【図１】図1は、マグネシウム合金材のシャルピー衝撃値を示すグラフである。
【図２】図2は、マグネシウム合金材の高速引張試験及び低速引張試験における伸びを示すグラフである。
【図３】図3は、マグネシウム合金材の高速引張試験及び低速引張試験における引張強さを示すグラフである。
【図４】図4は、マグネシウム合金材の高速引張試験及び低速引張試験における0.2％耐力を示すグラフである。
【図５】図5は、高速引張試験に用いた試験片の平面図である。
【図６】図6は、マグネシウム合金材の顕微鏡写真(5000倍)であり、図6(I)は、試料No.1、図6(II)は、試料No.110を示す。
【図７】図7は、防食層を具えるマグネシウム合金部材の断面の顕微鏡写真であり、図7(I)は、試料No.1(250,000倍)、図7(II)は、試料No.110(100,000倍)を示す。
【発明を実施するための形態】
【００２５】
以下、本発明をより詳細に説明する。
[マグネシウム合金材]
(組成)
本発明マグネシウム合金材を構成するマグネシウム合金は、Mgに添加元素を含有した種々の組成のもの(残部:Mg及び不純物、Mg:50質量％以上)が挙げられる。特に、本発明では、添加元素に少なくともAlを7.5質量％超含有するMg-Al系合金とする。Alを7.5質量％超含有することで、マグネシウム合金自体の強度、耐塑性変形性といった機械的特性を高められる上に、耐食性にも優れる。Al量が多いほど、強度などの機械的特性や耐食性に優れる傾向にあるが、12質量％を超えると塑性加工性の低下を招き、圧延時などに素材を高温に加熱する必要があるため、Alの含有量は、12質量％以下が好ましい。
【００２６】
Al以外の添加元素は、Zn,Mn,Si,Ca,Sr,Y,Cu,Ag,Be,Sn,Li,Zr,Ce,Ni,Au及び希土類元素(Y,Ceを除く)から選択された1種以上の元素が挙げられる。これらの元素を含む場合、各元素の含有量は、0.01質量％以上10質量％以下、好ましくは0.1質量％以上5質量％以下が挙げられる。より具体的なMg-Al系合金は、例えば、ASTM規格におけるAZ系合金(Mg-Al-Zn系合金、Zn:0.2質量％〜1.5質量％)、AM系合金(Mg-Al-Mn系合金、Mn:0.15質量％〜0.5質量％)、Mg-Al-RE(希土類元素)系合金、AX系合金(Mg-Al-Ca系合金、Ca:0.2質量％〜6.0質量％)、AJ系合金(Mg-Al-Sr系合金、Sr:0.2質量％〜7.0質量％)などが挙げられる。特に、Alを8.3質量％〜9.5質量％を含有する形態は、強度に優れる上に耐食性にも優れる。より具体的には、Alを8.3質量％〜9.5質量％、Znを0.5質量％〜1.5質量％含有するMg-Al系合金、代表的にはAZ91合金が挙げられる。Y,Ce,Ca,及び希土類元素(Y,Ceを除く)から選択される少なくとも1種の元素を合計0.001質量％以上、好ましくは合計0.1質量％以上5質量％以下含有すると、耐熱性、難燃性に優れる。
【００２７】
(組織:析出物)
上記マグネシウム合金は、平均粒径が0.05μm〜1μmといった微細な析出物が分散した組織を有し、マグネシウム合金材の断面をとったとき、マグネシウム合金材を100面積％とするとき、上記析出物が1面積％〜20面積％存在する。上記析出物は、代表的にはMgやAlを含む金属間化合物、より具体的にはMg17Al12からなるもの(Mg17Al12に限定されない)が挙げられる。平均粒径が0.05μm以上、かつ析出物の含有量が1面積％以上であることで、上記マグネシウム合金中に析出物が十分に存在して、これら析出物の分散強化により、優れた耐衝撃性を有することができる。析出物の平均粒径が1μm以下、及び析出物の含有量が20面積％以下であることで、上記マグネシウム合金中に析出物が過剰に存在したり、粗大な析出物が存在せず、Alの固溶量の低下を抑制して、強度に優れる。より好ましい平均粒径は、0.1μm以上0.5μm以下、より好ましい析出物の含有量は、3面積％以上15面積％以下、更に、更に12面積％以下、とりわけ5面積％以上10面積％以下である。
【００２８】
(形態)
本発明マグネシウム合金材は、代表的には、矩形状の板状材(マグネシウム合金板)が挙げられ、矩形の他、円形状など種々の形状をとり得る。この板状材は、連続する長尺材を巻き取ったコイル材、所定の長さ・形状の短尺材といった形態をとり得る。また、この板状材は、ボスなどが接合されていたり、表裏に貫通する孔などを有する形態とすることができる。更に、この板状材は、製造工程によっても種々の形態をとり得る。例えば、圧延板、圧延板に後述する熱処理や矯正を施した熱処理板や矯正板、上記圧延板や熱処理板、矯正板に研磨を施した研磨板などの形態が挙げられる。その他、本発明マグネシウム合金材は、上記板状材に、曲げ加工や絞り加工といったプレス加工などの塑性加工を施した成形体が挙げられる。所望の用途に応じて、マグネシウム合金材の形態、大きさ(面積)や厚さを選択するとよい。特に、厚さが2.0mm以下、更に1.5mm以下、とりわけ1mm以下であると、薄型、軽量の部品(代表的には筐体や自動車部品)に好適に利用することができる。
【００２９】
上記成形体は、例えば、天板部(底面部)と、天板部の周縁から立設される側壁部とを有する断面]状の箱体や]状の枠体、天板部が円板状で、側壁部が円筒状の有蓋筒状体などが挙げられ、形状・大きさは特に問わない。上記天板部などは、ボスなどを一体に成形又は接合していたり、表裏に貫通する孔や厚さ方向に凹んだ溝を有していたり、段差形状になっていたり、塑性加工や切削加工などにより局所的に厚さが異なる部分を有していてもよい。また、本発明マグネシウム合金材は、プレス加工といった塑性加工が施された塑性加工部を一部にのみ具える形態とすることができる。本発明マグネシウム合金材が上記成形体である形態や上記塑性加工部を有する形態では、塑性変形に伴う変形が少ない箇所(代表的には平坦な部分)は、塑性加工の素材となった上記板状材(マグネシウム合金板)の組織や機械的特性を概ね維持する。従って、成形体や塑性加工部を有する形態では、シャルピー衝撃値や伸びなどの機械的特性の測定にあたり、上記塑性変形に伴う変形が少ない箇所から試験片を採取する。
【００３０】
(機械的特性)
本発明マグネシウム合金材は、シャルピー衝撃値、高速引張試験における伸び、引張強さが上述のようにAM60合金と同等以上であることを最大の特徴とする。特に、本発明マグネシウム合金材は、後述する試験例に示すように、シャルピー衝撃試験を行った場合、即ち、高速で応力を受けた場合、試験片が折損(破断)せず、屈曲する。このように本発明マグネシウム合金材は、衝撃を受けた際、十分に塑性変形して、衝撃時のエネルギーを変形により吸収できることから、例えば、シャーシやバンパーといった自動車部品の構成材料に利用された場合、自動車内の乗員の保護に寄与することができると期待される。
【００３１】
[マグネシウム合金部材]
本発明マグネシウム合金材は、その表面に、化成処理や陽極酸化処理といった表面処理により形成された防食層を具えるマグネシウム合金部材とすることができる。このマグネシウム合金部材は、上述のように耐食性にも優れる本発明マグネシウム合金材に加えて防食層をも具えることで、耐食性に更に優れる。本発明者らが調べたところ、上記特定の組織を有するマグネシウム合金材に化成処理を施した場合、防食層が特定の構造(二層構造)を有することがある、との知見を得た。そして、この特定の構造の防食層を有するマグネシウム合金部材は、耐食性に非常に優れていた。上記防食層の具体的な構造は、上記マグネシウム合金材側に形成された下層と、上記下層の上に形成された表面層とを具える二層構造である。上記表面層は、上記下層よりも緻密であり、この下層は、ポーラス(多孔質)な層である。また、この防食層は、非常に薄く、二層構造の防食層の合計厚さが50nm以上300nm以下(下層が厚さの60％〜75％程度)である。
【００３２】
［製造方法］
上記特定の組織を有する本発明マグネシウム合金材が板状材である場合、例えば、以下の各工程を具えるマグネシウム合金板の製造方法により、製造することができる。
準備工程:Alを7.5質量％超含有するマグネシウム合金からなり、連続鋳造法で製造した鋳造板を準備する工程。
溶体化工程:上記鋳造板に350℃以上の温度で溶体化処理を施して、固溶板を製造する工程。
圧延工程:上記固溶板に温間圧延を施し、圧延板を製造する工程。
特に、溶体化工程以降の製造工程において、加工対象である素材板(代表的には圧延板)を150℃以上300℃以下の温度域に保持する総合計時間を0.5時間以上12時間以内とすると共に、300℃超の温度に加熱しないように、上記素材板の熱履歴を制御する。
【００３３】
更に、上記製造方法は、上記圧延板に矯正を施す矯正工程を具えることができる。この矯正工程では、上記圧延板を100℃以上300℃以下に加熱した状態で矯正を行う、即ち温間矯正を施すことが挙げられる。この場合、この矯正工程における圧延板を150℃以上300℃以下の温度域に保持する時間が、上記総合計時間に含まれるようにする。
【００３４】
上記本発明マグネシウム合金材が成形体である形態や塑性加工部を具える形態は、例えば、素材として、上記マグネシウム合金板の製造方法により得られた圧延板や、上記矯正工程により得られた矯正板を用意し、この素材に塑性加工を施す塑性加工工程を具える製造方法により、製造することができる。上記本発明マグネシウム合金材と上記防食層とを具えるマグネシウム合金部材は、例えば、上記塑性加工が施された素材に化成処理又は陽極酸化処理の防食処理を施す表面処理工程を具える製造方法により、製造することができる。上記製造方法のように、上記表面処理工程より先に上記塑性加工工程を行う場合、表面処理により形成された防食層が塑性加工中に損傷することを防止することができる。上記防食処理は、上記塑性加工前の素材に施すことができる場合がある。この場合、上記マグネシウム合金部材の製造方法として、素材に上述のように圧延板や矯正板を用意する工程と、この素材に防食処理を施す工程と、上記防食処理後に上記塑性加工を施す工程とを具える方法が挙げられる。この製造方法では、防食処理対象が板状材といった平坦な形状であることから、防食処理を容易に施すことができる。
【００３５】
本発明マグネシウム合金材の製造にあたり、上述のように、溶体化処理を行うことでマグネシウム合金中にAlを十分に固溶させられる。そして、溶体化処理以降の製造工程において、マグネシウム合金からなる素材を、析出物が析出され易い温度域(150℃〜300℃)に保持する時間を特定の範囲内とすることで、析出物を析出させつつ、その量を特定の範囲内とすることができる。また、上記特定の温度域に保持する時間を制御することで、上記析出物の過度な成長を抑制して、微細な析出物が分散した組織とすることができる。
【００３６】
例えば、圧延工程において、所望の板厚になるまで適宜な加工度(圧下率)で複数回(多パス)の圧延を行うときに、加工対象(溶体化処理後の素材。例えば、最終圧延が施されるまでの間の圧延板)を300℃超に加熱すると、塑性加工性を高められ、圧延を行い易い。しかし、300℃超の加熱を行うと、Alの含有量が7.5質量％超と多いことから上述した金属間化合物といった析出物が析出され易くなったり、析出した析出物が成長して粗大な粒子になり易くなったりする。析出物が過剰に生成されたり、粗大に成長すると、マグネシウム合金中のAlの固溶量が減少する。そして、Alの固溶量の低下により、マグネシウム合金自体の強度や耐食性の低下を招く。また、Alの固溶量の低下により、防食層を形成しても、耐食性の更なる向上が難しい。
【００３７】
更に、圧延途中や圧延後、或いはプレス加工といった塑性加工後に、再結晶化によるプレス加工性の向上や、塑性加工に伴う歪の除去などを目的として、熱処理を施すことが行われている。これらの熱処理の加熱温度は、Alの含有量が多いほど高くする傾向にある。例えば、特許文献1では、AZ91合金に対して、圧延後の熱処理(最終焼鈍)を300℃〜340℃で行うことを提案している。300℃超の加熱温度で熱処理を行うことでも、析出物が成長して粗大な粒子になり易くなる。これらのことから、上述のように溶体化以降の工程に対して、素材板の熱履歴を制御することを提案する。
【００３８】
以下、各工程をより詳細に説明する。
(準備工程)
鋳造板は、双ロール法といった連続鋳造法、特に、WO/2006/003899に記載の鋳造方法で製造した鋳造板を利用することが好ましい。連続鋳造法は、急冷凝固が可能であるため、酸化物や偏析などを低減でき、割れの起点になり得る10μm超といった粗大な晶析出物の生成を抑制できる。従って、圧延性に優れる鋳造板が得られる。鋳造板の大きさは特に問わないが、厚過ぎると偏析が生じ易いため、10mm以下、特に5mm以下が好ましい。特に、長尺な鋳造板を巻き取った鋳造コイル材を作製する場合、素材における巻き取り直前の箇所を150℃以上に加熱した状態で巻き取ると、巻き取り径が小さい場合でも、割れなどが生じることなく巻き取ることができる。巻き取り径が大きい場合は、冷間で巻き取ってもよい。
【００３９】
(溶体化工程)
上記鋳造板に溶体化処理を施して、組成を均質化すると共に、Alといった元素を固溶させた固溶板を製造する。溶体化処理は、保持温度を350℃以上、特に、保持温度:380℃〜420℃、保持時間:60分〜2400分(1時間〜40時間)とすることが好ましい。また、保持時間は、Alの含有量が高いほど長くすることが好ましい。更に、上記保持時間からの冷却工程において、水冷や衝風といった強制冷却などを利用して、冷却速度を速めると(例えば、50℃/min以上)、粗大な析出物の析出を抑制することができて好ましい。
【００４０】
(圧延工程)
上記固溶板に圧延を施すにあたり、素材(固溶板や圧延途中の板)を加熱することで塑性加工性を高められる。従って、少なくとも1パスは温間圧延を施す。但し、素材の加熱温度が高過ぎると、150℃〜300℃の温度域の保持時間が過度に長くなり、上述のように析出物の過度な成長や過度の析出を招いたり、素材の焼き付きが発生したり、素材の結晶粒が粗大化して圧延後の板の機械特性が低下したりする。そのため、圧延工程において素材の加熱温度も300℃以下とする。特に、150℃以上280℃以下が好ましい。複数回(多パス)の圧延を施すことで、所望の板厚にできると共に、素材の平均結晶粒径を小さくしたり(例えば、10μm以下)、圧延やプレス加工といった塑性加工性を高められる。圧延は、公知の条件、例えば、素材だけでなく圧延ロールも加熱したり、特許文献1に開示されるノンプレヒート圧延や制御圧延などを組み合わせて利用してもよい。また、仕上げ圧延などで圧下率が小さい圧延では、冷間で圧延を施してもよい。更に、上記圧延は、潤滑剤を適宜利用すると、圧延時の摩擦抵抗を低減でき、素材の焼き付きなどを防止して、圧延を施し易い。
【００４１】
多パスの圧延を行う場合、上述した150℃〜300℃の温度域の保持時間が上記総合計時間に含まれる範囲で、パス間に中間熱処理を行ってもよい。中間熱処理までの塑性加工(主として圧延)により加工対象である素材に導入された歪みや残留応力、集合組織などを除去、軽減すると、その後の圧延で不用意な割れや歪み、変形を防止して、より円滑に圧延を行える。中間熱処理を行う場合も保持温度を300℃以下とする。好ましい保持温度は、250℃以上280℃以下である。
【００４２】
(矯正工程)
上記圧延工程により得られた圧延板に、特許文献1に記載されるように最終熱処理(最終焼鈍)を施すことができるが、この最終熱処理を施さず、上述のように温間矯正を施す方がプレス加工といった塑性加工性に優れて好ましい。矯正は、特許文献2に記載されるような複数のロールが千鳥状に配置されたロールレベラなどを用い、圧延板を100℃〜300℃、好ましくは150℃以上280℃以下に加熱して行うことが挙げられる。このような温間矯正を行った矯正板にプレス加工といった塑性加工を施すと、塑性加工時に動的再結晶化が生じることで、塑性加工性に優れる。なお、圧延により比較的薄くなった素材に対して矯正加工を施すことで、矯正工程における上記保持時間を非常に短くすることができる。例えば、素材の厚さによっては上記保持時間を数分程度、更に1分以内とすることができる。
【００４３】
(塑性加工工程)
上記圧延板や、上記圧延板に上記最終熱処理を施した熱処理板、上記圧延板に上記矯正を施した矯正板、上記圧延板・熱処理板・矯正板のいずれかに研磨(好ましくは湿式研磨)を施した研磨板にプレス加工といった塑性加工を施す場合、200℃〜300℃の温度域で行うと、素材の塑性加工性を高められて好ましい。塑性加工時において素材を上記200℃〜300℃に保持する時間は、非常に短く、例えば、プレス加工によっては60秒以内の場合があり、上述したような析出物の粗大化などの不具合は実質的に生じないと考えられる。
【００４４】
上記塑性加工後に熱処理を施して、塑性加工により導入された歪みや残留応力の除去、機械的特性の向上を図ることができる。この熱処理条件は、加熱温度:100℃〜300℃、加熱時間:5分〜60分程度が挙げられる。但し、この熱処理においても150℃〜300℃の温度域の保持時間が上記総合計時間に含まれるようにする。
【００４５】
(素材を特定の温度域に保持する総合計時間)
上記特定の組織を有する本発明マグネシウム合金材を製造するには、上記溶体化工程以降、最終製品を得るまでの工程において、素材を150℃以上300℃以下の温度域に保持する総合計時間が0.5時間〜12時間となるように制御すると共に、素材を300℃超の温度に加熱しないことを最大の特徴とする。従来、Alの含有量が7.5質量％超であるマグネシウム合金に対して、溶体化処理以降、最終製品までの工程において、素材を150℃〜300℃の温度域に保持する総合計時間をどの程度にするか十分に検討されていなかった。これに対して、上述のように析出物が生成され易かったり、生成物が成長し易い上記温度域の保持時間を特定の範囲に制御することで、特定量の微細な析出物が分散して存在する組織を有する本発明マグネシウム合金材を得ることができる。
【００４６】
上記150℃〜300℃の温度域に保持する総合計時間が0.5時間未満では、析出物が十分に析出されず、12時間を超えたり、素材を300℃超に加熱して圧延などすると、粒径が1μm以上の粗大な析出物が存在した組織や20面積％超といった過剰に析出物が存在した組織が得られる。好ましくは、温度域:150℃以上280℃以下、総合計時間:1時間以上6時間以下となるように、圧延工程における各パスの加工度や圧延工程の総加工度、中間熱処理時の条件、矯正時の条件などを制御する。また、Al量が多いほど、析出物が析出し易いため、上記総合計時間は、Alの含有量に応じても調整することが好ましい。
【００４７】
(表面処理工程)
化成処理は、公知の化成処理液を適宜用いて、公知の条件により行うことができる。化成処理には、ノンクロム処理液であるリン酸マンガン・カルシウム系溶液などを用いることが好ましい。
【００４８】
上記化成処理や陽極酸化処理といった防食処理後、保護や装飾などを目的として塗装を行うと、耐食性を更に向上したり、商品価値を高めたりすることができる。
【００４９】
以下、試験例を挙げて、本発明のより具体的な実施の形態を説明する。
【００５０】
[試験例1]
マグネシウム合金材を作製して、耐衝撃性、及び機械的特性を調べた。
【００５１】
[試料No.1]
試料No.1のマグネシウム合金材は、鋳造→溶体化処理→圧延(温間)→矯正(温間)→研磨という工程により作製した板状材(マグネシウム合金板)である。
【００５２】
この試験では、AZ91合金相当の組成を有するマグネシウム合金からなり、双ロール連続鋳造法により得られた長尺な鋳造板(厚さ4mm)を作製して、一旦巻き取り、鋳造コイル材を作製した。この鋳造コイル材をバッチ加熱炉に装入して、400℃×24時間の溶体化処理を施した。溶体化処理を施した固溶コイル材を巻き戻して、以下の圧延条件で、厚さが2.5mmになるまで複数回圧延を施し、得られた圧延板を巻き取って圧延コイル材を作製した(長さ:400m)。
(圧延条件)
加工度(圧下率):5％/パス〜40％/パス
板の加熱温度:250℃〜280℃
ロール温度:100℃〜250℃
【００５３】
試料No.1では、圧延工程の各パスにおいて、圧延対象となる素材の加熱時間及び圧延速度(ロール周速)を調整することで、素材が150℃〜300℃の温度域に保持される総合計時間を調整した。また、300℃超の加熱を行わなかった。
【００５４】
得られた圧延コイル材を巻き戻して温間矯正を施して、得られた矯正板を巻き取って矯正コイル材を作製した。ここでは、温間矯正は、特許文献2に記載される歪付与手段を利用し、圧延板を220℃に加熱した状態で行った。溶体化工程以降、この矯正工程までに素材が150℃〜300℃の温度域に保持される総合計時間が、0.5時間〜12時間となるように、温度制御を行った。得られた矯正板の組成分析をしたところ(いずれも質量％)、Al:8.79％、Zn:0.64％、Mn:0.18％、残部:Mg及び不純物であり、AZ91合金相当の組成を有することが確認できた。得られた長尺な矯正板(コイル材)を適宜な長さに切断して短尺な板材を複数作製し、各板材を適宜切断して、後述する各試験の試験片を作製した。
【００５５】
[試料No.100,200]
比較の試料として、市販の板材:AZ91合金材(厚さ2.1mmの鋳造材:試料No.100)、AM60合金材(厚さ2.4mmの鋳造材:試料No.200)を用意した。これら市販材の組成分析をしたところ(いずれも質量％)、AZ91合金材は、Al:8.89％、Zn:0.73％、Mn:0.24％、残部:Mg及び不純物、AM60合金材は、Al:6.00％、Mn:0.3％、残部:Mg及び不純物であった。各組成の板材をそれぞれ複数用意し、各板材から適宜切断して、後述する各試験の試験片を作製した。
【００５６】
[シャルピー衝撃値]
作製した試料No.1のマグネシウム合金材(以下、AZ91展伸材と呼ぶことがある)、用意した試料No.100のAZ91鋳造材、試料No.200のAM60鋳造材に対して、シャルピー衝撃試験を行って、衝撃値を測定した。その結果を表1、及び図1に示す。
【００５７】
シャルピー衝撃試験は、市販の試験機を用いて行った。この試験は、各試料の板材から、幅:9mm前後、長さ:75mm〜80mmの試験片(厚さ:2.1mm〜2.5mm)を切り出し、各試験片の長手方向が試験機のハンマの打ち当て方向と直交するように各試験片を試験機に取り付けて行った。
【００５８】
[伸び、引張強さ、0.2％耐力]
作製した試料No.1のAZ91展伸材、用意した試料No.100のAZ91鋳造材、試料No.200のAM60鋳造材に対して、高速引張試験、及び低速引張試験を行って、各試験における伸び、引張強さ、0.2％耐力を測定した。その結果を表2、及び図2〜図4に示す。図2〜図4において、白抜きの棒グラフは高速引張試験の結果、ハッチングを付した棒グラフは低速引張試験の結果、棒グラフ上に引かれた左右方向に延びる太線の直線は、平均値を示す。
【００５９】
高速引張試験は、高速での引っ張りが可能な市販の試験機(ここでは、株式会社島津製作所製  油圧サーボ式高速引張試験機)を用いて行った。この試験は、各試料の板材から、JIS  Z  2201(1998)を参照して、図5に示す括れ形状の試験片10を切り出し、各試験片を試験機に取り付けて行った。試験片10の括れ部分の表裏に塑性歪みゲージ11を取り付け、このゲージ11により、塑性歪み(永久歪み)を測定し、試験片10の一面の中心線において肩部と平行部との交点からl＝25mmの地点に弾性歪みゲージ12を取り付け、このゲージ12の測定値により荷重(応力)を換算する。試験片10の仕様は、標点距離GL＝10mm、括れ部分の幅W＝4.3mm、掴み部の長さL1＝35mm、L2＝70mm、試験片の幅w＝20mm、肩部の半径R＝10mmである。試験条件は、引張速度(目標値):10m/sec、ひずみ速度(目標値):1000/sec、大気雰囲気、室温(20℃程度)とした。試験片10は、その長手方向が圧延方向(圧延板の進行方向)に平行するように作製している。この高速引張試験により、引張強さ(MPa)、0.2％耐力(MPa)、伸び(MPa)を測定した。
【００６０】
低速引張試験は、市販の試験機を用いて、JIS  Z  2241(1998)に基づいて行った。試験条件は、引張速度(目標値):2mm/sec、ひずみ速度(目標値):0.2/sec、大気雰囲気、室温(20℃程度)とした。この低速引張試験により、引張強さ(MPa)、0.2％耐力(MPa)、伸び(MPa)を測定した。低速引張試験では、試験機のロードセルにより荷重(応力)を測定する。
【００６１】
また、各試料について、高速引張試験の結果及び低速引張試験の結果から得られた伸び、引張強さ、0.2％耐力の大小関係を表3に示す。
【００６２】
各試料に対して、耐食性試験を行って耐食性を調べた。ここでは、腐食液として、5質量％NaCl水溶液を用意し、各試料の板材から試験片を切り出し、当該試験片の露出面積が4cm2となるように適宜マスキングを試験片に施した後、当該試験片を上記NaCl水溶液50mLに完全に浸漬した状態で96時間保持した(空調下の室温(25±2℃)に保持)。96時間の浸漬後、上記NaCl水溶液から試験片を回収し、ICP発光分光分析法(ICP-AES)にて、NaCl水溶液中のMgイオン溶出量を分析した。そして、定量したMgイオン量を上記露出面積で除した値を腐食減量(μg/cm2)とした。その結果を表1に示す。
【００６３】
【表１】
0005522400.tif 000002
【００６４】
【表２】
0005522400.tif 000003
【００６５】
【表３】
0005522400.tif 000004
【００６６】
表1に示すように、Alを7.5質量％超含有したマグネシウム合金からなり、圧延を施すと共に製造時の熱履歴を制御して得られた試料No.1のAZ91展伸材はいずれも、シャルピー衝撃値が30J/cm2以上、更に40J/cm2以上と、非常に高い衝撃値を有することが分かる。また、試料No.1のAZ91展伸材はいずれも、シャルピー衝撃値が試料No.200のAM60鋳造材よりも大きいことが分かる。ここで、シャルピー衝撃試験では、一般に、試験片が折損(破断)するまでの衝撃値を測定する。しかし、試料No.1のAZ91展伸材では、更に大きな衝撃を加えた場合、試験片が破断することなく屈曲した状態で試験機の支持箇所から脱落して、更に大きな衝撃を適切に加えることが困難であった。従って、表1では、脱落しなかった最大衝撃値を示す。このことから、試料No.1のAZ91展伸材は、表1に示す値以上の衝撃値を有し、耐衝撃性に非常に優れると期待される。
【００６７】
一方、試料No.100のAZ91鋳造材は、試料No.1と同程度の成分でありながら、シャルピー衝撃値が30J/cm2未満と小さい。このことから、同様な成分であっても、製造方法によって衝撃値が大きく異なるものが得られることが分かる。
【００６８】
また、表2に示すように、試料No.1のAZ91展伸材はいずれも、高速引張試験における伸び、引張強さ、及び0.2％耐力のいずれの特性にも優れることが分かる。更に、試料No.1のAZ91展伸材はいずれも、高速引張試験における伸び、引張強さ、及び0.2％耐力のいずれの特性に対しても、試料No.100のAZ91鋳造材及び試料No.200のAM60鋳造材より高い値を有することが分かる。このように試料No.1のAZ91展伸材は、高速引張試験に行った場合に、高強度・高靭性であることが分かる。
【００６９】
更に、試料No.1のAZ91展伸材は、図2〜図4に示すように、高速引張試験における伸び、引張強さ、及び0.2％耐力の平均値の絶対値が大きい上に、いずれの特性もばらつきが小さいことが分かる。即ち、試料No.1のAZ91展伸材は長尺なコイル材でありながら、均一的な特性を有することが分かる。
【００７０】
加えて、試料No.100のAZ91鋳造材及び試料No.200のAM60鋳造材は、高速引張試験及び低速引張試験における伸びにほとんど差が無い。これに対して、試料No.1のAZ91展伸材は、高速引張試験における伸び(平均値):ELghと、低速引張試験における伸び：ELlowとの差が非常に大きく、高速引張試験における伸びELghは、1.3×ELlow以上である(ここでは、約2倍程度)。このように、高速引張試験において非常に伸びの上昇率が高いことは、耐衝撃性の向上に寄与していると考えられる。
【００７１】
上述のように試料No.1のAZ91展伸材が耐衝撃性に優れる結果となった理由の一つとして、微細な金属間化合物といった析出物が均一的に分散した組織を有していたため、と考えられる。金属組織については、後述する。
【００７２】
また、試料No.1のAZ91展伸材はいずれも、化成処理といった防食処理を施していなくても、耐食性に優れることも分かる。特に、試料No.1のAZ91展伸材はいずれも、試料No.100のAZ91鋳造材と同様な成分(元素含有量)でありながら、試料No.100のAZ91鋳造材よりも耐食性に優れることが分かる。このような耐食性にも優れる結果となった理由の一つとして、上記特定の組織を有していたため、と考えられる。
【００７３】
[試験例2]
マグネシウム合金板を作製して基材とし、この基材の表面に化成処理を施して防食層を具えるマグネシウム合金部材を作製し、基材の金属組織、防食層の形態、耐食性を調べた。
【００７４】
[試料No.1]
試料No.1のマグネシウム合金部材は、鋳造→溶体化処理→圧延(温間)→矯正(温間)→研磨→防食層の形成、という工程により作製する。マグネシウム合金板の基本的な製造工程、製造条件は、上記試験例1と同様であり、試験例1で作製したマグネシウム合金材と異なる点は、試験例2では、コイル材ではなく、シート材を作製した点、このシート材に防食層を形成した点である。
【００７５】
この試験では、AZ91合金相当の組成(Mg-9.0％Al-1.0％Zn(全て質量％))を有するマグネシウム合金からなり、双ロール連続鋳造法により得られた鋳造板(厚さ4mm)を複数用意した。得られた各鋳造板に、400℃×24時間の溶体化処理を施した。溶体化処理を施した固溶板に以下の圧延条件で、厚さが0.6mmなるまで複数回圧延を施した。
(圧延条件)
加工度(圧下率):5％/パス〜40％/パス
板の加熱温度:250℃〜280℃
ロール温度:100℃〜250℃
【００７６】
試料No.1では、圧延工程の各パスにおいて、圧延対象となる素材の加熱時間及び圧延速度(ロール周速)を調整することで、素材が150℃〜300℃の温度域に保持される総合計時間が3時間となるようにした。
【００７７】
得られた圧延板を220℃に加熱した状態で温間矯正を施して、矯正板を作製した。温間矯正は、特許文献2に記載される歪付与手段を利用して行った。この矯正工程において素材が150℃〜300℃の温度域に保持される時間は数分程度と非常に短い。
【００７８】
得られた矯正板に、更に、＃600の研磨ベルトを用いて湿式ベルト式研磨を施して、矯正板の表面を研磨により平滑化して、研磨板(以下、シート材と呼ぶことがある)を作製した。
【００７９】
得られた研磨板に、脱脂→酸エッチング→脱スマット→表面調整→化成処理→乾燥という手順で防食層を形成した。具体的な条件を以下に示す。得られたマグネシウム合金部材を試料No.1とする。
【００８０】
脱脂：10％KOHとノニオン系界面活性剤0.2％溶液の攪拌下、60℃,10分
酸エッチング：5％リン酸溶液の攪拌下、40℃,1分
脱スマット：10％KOH溶液の攪拌下、60℃,10分
表面調整：pH8に調整した炭酸水溶液の攪拌下、60℃,5分
化成処理：ミリオン化学株式会社製商品名  グラインダー  MC-1000(リン酸カルシウム・マンガン皮膜化成剤)、処理液温度35℃,浸漬時間60秒
乾燥：120℃,20分
【００８１】
[試料No.10]
上述した試料No.1と同様の鋳造材(但し、厚さ4.2mm)を用意し、以下の条件で圧延を行った後、矯正(温間)を行わず、矯正(温間)に代えて320℃×30分の熱処理を行ったものを作製した。この熱処理板に、試料No.1と同様にして研磨した後、防食層の形成を行った。得られたマグネシウム合金部材を試料No.10とする。
【００８２】
(圧延条件)
[粗圧延]  厚さ4.2mm→1mm
加工度(圧下率):20％/パス〜35％/パス
板の加熱温度:300℃〜380℃
ロール温度:180℃
[仕上げ圧延]  厚さ1mm→0.6mm
加工度(圧下率):平均7％/パス
板の加熱温度:220℃
ロール温度:170℃
なお、試料No.10において溶体化処理以降の150℃〜300℃の温度域に保持した総合計時間は、15時間である。
【００８３】
[試料No.110]
市販のAZ31合金からなる展伸材(厚さ:0.6mmの板)を準備し、試料No.1と同様にして研磨を施した後、防食層の形成を行った。得られたマグネシウム合金部材を試料No.110とする。
【００８４】
[試料No.120]
市販のAZ91合金からなる鋳造材(厚さ:0.6mmの板)を準備し、試料No.1と同様にして研磨を施した後、防食層の形成を行った。得られたマグネシウム合金部材を試料No.120とする。
【００８５】
上述のようにして作製した試料No.1の基材(ここでは、矯正板)、試料No.10の基材(ここでは、熱処理板)、準備した試料No.110のAZ31合金の展伸材に対して、以下のようにして金属組織を観察し、析出物を調べた。
【００８６】
上記基材及び展伸材をそれぞれ板厚方向に任意に切断して断面をとり、その断面を走査型電子顕微鏡:SEM(5000倍)で観察した。図6(I)に試料No.1の観察像、図6(II)に試料No.110の観察像を示す。図6において薄い灰色(白色)の小さい粒状体が析出物である。
【００８７】
上記断面に対する析出物の粒子の合計面積の割合を以下のようにして求めた。上記基材及び展伸材に対してそれぞれ、上述のようにして5つの断面をとり、各断面の観察像から任意に3つの視野(ここでは22.7μm×17μmの領域)をそれぞれとる。観察視野ごとに、一つの観察視野内に存在する全ての析出物の粒子の面積をそれぞれ調べて合計面積を算出し、一つの観察視野の面積(ここでは385.9μm2)に対する当該観察視野中の全ての粒子の合計面積の割合:(粒子の合計面積)/(観察視野の面積)を求め、この割合を当該観察視野の面積割合とする。そして、上記基材及び展伸材のそれぞれについて、15個の観察視野の面積割合の平均を表4に示す。
【００８８】
上記断面に対する析出物の粒子の平均粒径を以下のようにして求めた。上記観察視野ごとに、一つの観察視野内に存在する各粒子の面積の等価面積円の直径をそれぞれ求めて粒径のヒストグラムを作成し、粒径の小さい粒子から、当該観察視野内の全ての粒子の合計面積の50％に達する粒子の粒径、つまり50％粒径(面積)を当該観察視野の平均粒径とする。そして、上記基材及び展伸材のそれぞれについて、15個の観察視野の平均粒径の平均を表4に示す。
【００８９】
上記粒子の面積や直径は、市販の画像処理装置を利用することで、容易に算出することができる。また、析出物をEDS(エネルギー分散型X線分析装置:Energy  Dispersive  X-ray  Spectroscopy)により調べたところ、Mg17Al12といったAlやMgを含む金属間化合物であった。上記金属間化合物の粒子の存在は、X線回折などを利用して組成及び構造を調べることでも判別することができる。
【００９０】
また、得られた各試料(マグネシウム合金部材)をそれぞれ板厚方向に任意に切断して断面をとり、その断面において、化成処理により形成された防食層を透過型電子顕微鏡(TEM)で観察した。図7(I)に試料No.1の観察像(250,000倍)、図7(II)に試料No.110の観察像(100,000倍)を示す。図7(I)において上方の黒い領域及び図7(II)において上方の白い領域は、断面をとる際に形成した保護層である。
【００９１】
上記防食層の観察像を256階調のグレースケール(ここでは中間値法)で表したときの中央値とばらつきと調べた(n＝1)。その結果を表4に示す。グレースケールの中央値及びばらつきは、市販の画像処理装置を用いることで簡単に求められる。ばらつきの値が小さい場合、気孔が少なく緻密であり、ばらつきの値が大きい場合、気孔が多くポーラスであることを示す。
【００９２】
また、上記各試料の観察像を用いて、防食層の厚さ(ここでは当該観察像の任意の5点を選択し、この5点厚さの平均厚さ)を調べた。その結果を表4に示す。
【００９３】
更に、得られた各試料について耐食性試験を行って耐食性を調べた。ここでは、耐食性試験は、JIS  Z  2371(2000)に準じて行い(塩水噴霧時間:96時間、35℃)、塩水噴霧の前後における重量の変化量(腐食減量)を測定した。そして、変化量が0.6mg/cm2超を×、0.6mg/cm2以下を○、0.4mg/cm2未満を◎と評価した。その結果を表4に示す。
【００９４】
【表４】
0005522400.tif 000005
【００９５】
表4に示すように、溶体化処理以降において、素材が150℃〜300℃の温度域に保持される総合計時間を特定の範囲とすると共に、300℃超の加熱を行わないことで、図6(I)に示すように、微細な金属間化合物の粒子が分散した組織を有するマグネシウム合金板(試料No.1の基材)が得られることが分かる。より具体的には、この基材は、金属間化合物の粒子の平均粒径が0.05μm以上1μm以下、金属間化合物の粒子の合計面積の割合が1％以上20％以下を満たす。
【００９６】
そして、この試料No.1の基材上に設けられた防食層は、図7(I)に示すように膜厚方向の基材側に形成された比較的厚い下層と、表面側に形成された比較的薄い表面層との二層構造であることが分かる。特に、下層は、表面層よりも階調(中央値)が低く、ばらつきの値が大きく、ポーラスであり、表面層は、下層よりも階調が高く、ばらつきの値が小さく、緻密であることが分かる。また、防食層の組成をEDX(エネルギー分散型X線分光装置)により調べたところ、マンガン及びカルシウムのリン酸化合物が主成分であり、基材側の下層は、表面層よりもAlの含有割合が高く、表面層は、下層よりもマンガン及びカルシウムの含有割合が高くなっていた。
【００９７】
上記構成を具える試料No.1は、表4に示すように耐食性に優れていることが分かる。
【００９８】
一方、AZ31合金の展伸材を用いた試料No.110は、図6(II)に示すように、析出物が非常に少ないことが分かる。また、防食層は、図7(II)に示すように、ポーラスな上に、非常に厚いことが分かる。そして、表4に示すように試料No.110は、耐食性に劣ることが分かる。この理由は、試料No.1のような緻密な表面層が防食層に存在せず、ポーラスな上に、厚膜であることでクラックが生じるなどして腐食液が浸透し易くなったことに加えて、基材のAlの含有量(固溶量)や金属間化合物の存在が少ないためであると考えられる。
【００９９】
他方、AZ91合金の鋳造材を用いた試料No.120は、防食層が試料No.1の表面層よりもポーラスである上に、試料No.1よりも厚くなっていた。また、試料No.120は、試料No.1よりも耐食性に劣ることが分かる。この理由は、厚膜であることでクラックが生じるなどして、腐食液が浸透し易くなったためと考えられる。
【０１００】
また、表4に示すように300℃超の熱処理を施した試料No.10では、析出物の面積割合が試料No.1よりも大きいことが分かる。この試料No.10の防食層は、上記試料No.1の表面層よりもポーラスとなっており、試料No.1よりも耐食性に劣ることが分かる。この理由は、緻密な表面層が実質的に存在しないことで、試料No.1よりも腐食液が浸透し易くなったためと考えられる。
【０１０１】
以上の結果から、Alの含有量が7.5質量％超のマグネシウム合金からなり、溶体化処理以降の製造工程において、150℃〜300℃の温度域に保持する総合計時間を0.5時間〜12時間とすると共に、300℃超の加熱を行わないようにしてマグネシウム合金材を作製することで、上述のように微細な金属間化合物といった析出物が均一的に分散した組織を有することが分かる。また、このマグネシウム合金材は、試験例1で説明したように耐衝撃性に優れることが分かる。更に、このマグネシウム合金材を基材とし、この基材に化成処理を施した場合、耐食性に優れるマグネシウム合金部材が得られることが分かる。
【０１０２】
試験例2で作製した防食層を具えるマグネシウム合金部材について、試験例1と同様にシャルピー衝撃値、高速引張試験及び低速引張試験における伸び、引張強さ、及び0.2％耐力を測定したところ、シャルピー衝撃値:30J/cm2以上、伸び(高速):10％以上、引張強さ(高速):300MPa以上、伸び(高速)ELhg≧1.3×伸び(低速)ELlowを満たしていた。
【０１０３】
試験例1で作製した試料No.1のAZ91展伸材について、同様にして組織観察を行ったところ、試験例2で作製した試料No.1のシート材と同様に金属間化合物からなる微細な析出物が分散した組織を有しており、当該粒子の平均粒径:0.1μm(100nm)、析出物の粒子の合計面積の割合:6％であった。
【０１０４】
なお、上述した実施形態は、本発明の要旨を逸脱することなく、適宜変更することが可能であり、上述した構成に限定されるものではない。例えば、マグネシウム合金の組成(特にAlの含有量)、マグネシウム合金材の厚さ・形状、防食層の構成材料などを適宜変更することができる。
【産業上の利用可能性】
【０１０５】
本発明マグネシウム合金材は、耐衝撃性に優れることが望まれる部品、代表的にはバンパーなどの自動車部品、各種の電気機器類の部品、例えば、携帯用や小型な電気機器類の筐体、高強度であることが望まれる種々の分野の部品の構成材料に好適に利用することができる。
【符号の説明】
【０１０６】
10  試験片  11  塑性歪みゲージ  12  弾性歪みゲージ
【図１】
0005522400.tif 000006
【図２】
0005522400.tif 000007
【図３】
0005522400.tif 000008
【図４】
0005522400.tif 000009
【図５】
0005522400.tif 000010
【図６】
0005522400.tif 000011
【図７】
0005522400.tif 000012